(57)【要約】【課題】背貼り部にイージーピール部を設けたピロー包装において、内容物が油分を含んだ場合や開封部に水分や油分が付着した場合でも指が滑ることなく確実に開封できる易開封性包装袋に関するもので、従来に提案された滑り止め加工の場合、油分や水分が付着した指で連続して開封作業を続けていくと、指のすべりを十分に防止することが出来なかった。また、余分な資材を別途使用することのないコスト面で見合う方法が求められていた。これらを確実に解決するコスト面や環境面で有利な方法を提供する。【解決手段】ピロー包装の背貼り部をイージーピールとした包装袋において、そのイージーピール部の両側の開封片部を長手方向に沿って折り返し、未溶着部を残すようにして、その長手方向に沿ってヒートシールをして、両側の開封片部の側縁に長手方向全体にわたって側縁部滑り止め帯を形成したことを特徴とするイージーピール包装袋である。【選択図】図１
2008162643.tif 000002
【特許請求の範囲】
【請求項１】
背貼り部にイージーピール部を設けたピロー包装において、該イージーピール部の両側の開封片部を長手方向に沿って折り返し、未溶着部を残すようにして、その長手方向に沿ってヒートシールをして、両側の開封片部側縁に長手方向全体にわたって側縁部滑り止め帯を形成したことを特徴とするイージーピール包装袋
【請求項２】
イージーピール部の両側開封片部の側縁に長手方向に沿って形成された側縁部滑り止め帯に開封補助手段として、指がかかる穴をそれぞれ１以上適当な間隔で設けられたことを特徴とする請求項１に記載のイージーピール包装袋
【請求項３】
背貼り部にイージーピール部を設けたピロー包装において、該イージーピール部両側の側縁部を長手方向に沿って断面がたとえば凸形状の凸条テープ材をそれぞれに接着したことを特徴とするイージーピール包装袋
【発明の詳細な説明】
【技術分野】
【０００１】
本発明は、背貼り部にイージーピール部を設けたピロー包装において、内容物が油分を含んだ場合や開封部に水分や油分が付着した場合でも指が滑ることなく確実に開封できる易開封性包装袋に関するものである。
【背景技術】
【０００２】
従来、油分を含んだ内容物を包装し、これらを連続して開封したりする際に、指に油分が付着すると開封するときに指が滑る問題があり、これを解決するには、たとえば、滑り止め加工をした滑り止め部をつける方法が提案されている。（たとえば特許文献１）
また、チャック付き袋における開封補助手段として、開封部にラベルを粘着剤等で取り付ける方法も提案されている。（たとえば特許文献２）
【特許文献１】特開平１０−１８１７７０号公報
【特許文献２】特開２００５−３１３９９２号公報
【発明の開示】
【発明が解決しようとする課題】
【０００３】
前記のような従来の滑り止め加工の場合、開封時に指でつかむ開封部の表面を粗面とする加工だけでは、連続開封作業時など、かなり油分が付着した場合に指のすべりを十分に防止することが出来なかった。また、開封部にラベルを貼り付けるという方法では、余分な資材を準備して接着するという工程が発生し、コスト面で見合う方法ではなかった。そのため、油分を伴って開封時に滑りやすくなったイージーピール包装袋を開封する際に確実に開封できコスト面や環境面で有利な方法が求められていた。
【０００４】
特許文献１においては、図５に示すように背貼り部２１にイージーピール部２２を設けたイージーピール包装袋２０において、指で摘んでこのイージーピール部２２を引き剥がす際のすべりを防止するための滑り止め部２３が形成されている。滑り止め部２３の加工としては多数の微細な穴や微細な凸凹を設けることが提案された。しかしながら、この方法では、油分を多く含んだ食品を連続して開封するうちに指に油分が付着すると十分にすべりを防止することが出来なかった。
【０００５】
また、特許文献２においては、図６に示すようにチャック付き袋２４において、開封部２５にラベル２６を設けたことによって、開封部を広げて開封できるため、比較的小さな力であけることが出来る。しかしながら油分で滑る場合には指のすべりを防止するに十分有効な方法ではなかった。
【０００６】
そこで指や包装袋に油分が付着しても、開封する際に指が滑ることなく確実に開封でき、包装袋に極力余分な付属物を付加することがない仕様とすることで、コスト上有利となる包装方法が求められていた。
【０００７】
よって上記を満たし、現在の充填包装装置をベースに簡単な改良を施すだけで適用することが出来、かつ油分が付着しても容易に開封することが出来る簡易な構造のイージーピール包装袋を提案する。
【０００８】
すなわち本発明は、油分や水分が指や包装袋に付着することの多い現場において、開封時に指が滑ることなく確実に開封でき、、かつコスト面でも優れたイージーピール包装袋である。
【課題を解決するための手段】
【０００９】
本発明は前述した課題を解決するために、ピロー包装の背貼り部をイージーピールとした包装袋において、そのイージーピール部両側の開封片部を長手方向に沿って折り返し、未溶着部を残すようにして、その長手方向に沿ってヒートシールをして、両側の開封片部の側縁に長手方向全体にわたって側縁部滑り止め帯を形成したことを特徴とするイージーピール包装袋である。
【００１０】
また、このイージーピール表面にたとえば表面に凹凸をつけたり、擦り傷や微細な小孔をつけたりの滑り止め加工を施してもよい。
【００１１】
また、さらにこれらの側縁部滑り止め帯部分に開封補助手段として、指がかかる穴を１以上それぞれに設けるとより確実に開封が可能でかつ開封片部の側縁部である側縁部滑り止め帯はフィルムが二重となっているため、ちぎれることがなく開封することが出来る。
【発明の効果】
【００１２】
本発明によると油分や水分が付着した指で包装袋を開封する際や、包装袋に油分や水分が付着している場合など、開封時に指で摘むつまみ部が滑って開封することが出来ないといったことがなくなり、確実容易にイージーピール袋を開封することが出来る。
【００１３】
イージーピール部の長手方向に沿って、未溶着部を残すようにして折り返し、ヒートシールした構造のため従来の自動充填包装装置をベースにして改造するだけで自動化が出来る。
【００１４】
また、本発明は他の余分な資材を使用しないため、それを供給する方法やコスト面で有利で、さらには環境面に対しても考慮した包装構成となっている。
【発明を実施するための最良の形態】
【００１５】
本発明は前述した課題を解決するために、ピロー包装の背貼り部をイージーピールとした包装袋において、そのイージーピール部両側の開封片部を長手方向に沿って折り返し、未溶着部を残すようにして、その長手方向に沿ってヒートシールをして、両側の開封片部の側縁に長手方向全体にわたって側縁部滑り止め帯を形成したことを特徴とするイージーピール包装袋である。
【実施例１】
【００１６】
以下、本発明の実施の形態を添付図面に基づいて説明する。
【００１７】
図１は本発明の一実施例であるイージーピール包装袋を示した斜視図である。１はイージーピール包装袋、２は背貼り部、３は端部ヒートシール部、４はイージーピール部、５は未溶着部、６は開封片部、７は側縁部滑り止め帯である。
【００１８】
本イージーピール包装袋１は内容物を被包して左右両側部を合掌させて形成される背貼り部２を有し、端部ヒートシール部３により閉鎖されたピロー包装の形状で、合掌させた左右両開封片部の側縁側につまみ代となるフィルムを十分に残した状態でその長手方向にイージーピール部４を形成し、かつ長手方向両端部が折り返されて、未溶着部５を形成するように長手方向に沿ってヒートシールし、開封片部６に側縁部滑り止め帯７が形成されている。
【００１９】
本イージーピール包装袋１において、背貼り部２のイージーピール部４を開封して、内容物を取り出すには指で側縁部滑り止め帯７を摘んで、左右に引き剥がすことで達成される。
【００２０】
側縁部滑り止め帯７の表面はさらに指を滑りにくくするためにたとえば表面に凹凸をつけたり、擦り傷や微細な小孔をつけたりの滑り止め加工を施してもよい。
【００２１】
図２は図１におけるＡ−Ａ断面図である。４はイージーピール部、５は未溶着部、６は開封片部、７は側縁部滑り止め帯、８はフィルム、９は内容物である。
【００２２】
図２に示したように、内容物９がフィルム８で被包され、背貼り部をイージーピール部４とし、開封片部６は長手方向に沿って、折り返して、未溶着部５を残して、側縁部滑り止め帯７を形成している。未溶着部５が側縁部滑り止め帯７の端部に形成されているため、指や袋に油分や水分が付着していたとしても指の引っ掛かりとなって、指が滑らずに容易に開封することが出来る。
【実施例２】
【００２３】
図３は本発明の一実施例であるイージーピール包装袋を示した斜視図である。１ａはイージーピール包装袋、２は背貼り部、３は端部ヒートシール部、４はイージーピール部、５は未溶着部、６は開封片部、７は側縁部滑り止め帯、１０は指掛け穴である。
【００２４】
本イージーピール包装袋１ａにおいて、背貼り部２のイージーピール部４を開封して、内容物を取り出すには指で側縁部滑り止め帯７に位置する左右の指掛け穴１０に指を掛けて、左右に引き剥がすことで達成される。実施例１より指がすべることがなく、確実に開封することができる。
【実施例３】
【００２５】
図４は本発明の一実施例であるイージーピール包装袋を示した斜視図である。１ｂはイージーピール包装袋、２は背貼り部、３は端部ヒートシール部、４はイージーピール部、６は開封片部、１１は凸条嵌合テープである。
【００２６】
本イージーピール包装袋１ｂは内容物を被包して左右両側部を合掌させて形成される背貼り部２を有し、端部ヒートシール部３により閉鎖されたピロー包装の形状で、合掌させた左右両側縁部の先端側につまみ代となるフィルムを残した状態でその長手方向にイージーピール部４を形成し、左右両側の開封片部６の側縁部長手方向に沿って凸条嵌合テープ１１を接着し、これらの凸条嵌合テープ１１が指や袋に油分や水分が付着して滑りやすくなっていても滑り止めとなり、容易に開封することが出来る。この凸状嵌合テープは必ずしも凸形状である必要はなく指が滑らず引っかかるのであれば凹状や波形状など他のものでも使用することが出来る。
【００２７】
この凸条嵌合テープ１１はチャック袋に用いられる樹脂製のジッパーの断面が凸形状の片側のみを使用し、装着することが出来る。
【産業上の利用可能性】
【００２８】
本発明はたとえば、内容物やその環境に油分や水分を多用する食品加工工場において、開封作業を連続して行うと指に付着した油分や水分によって、包装袋を開封する際に指が滑って、なかなか開封できずに作業効率が落ちたり、あるいは力を入れすぎて開封して、内容物を撒き散らしたりという問題が発生していた。これらの問題を解消し、作業効率の向上に寄与することが出来る。
【図面の簡単な説明】
【００２９】
【図１】本発明の一実施例であるイージーピール包装袋を示した斜視図である。
【図２】図１におけるＡ−Ａ断面図である。
【図３】本発明の実施例２であるイージーピール包装袋を示した斜視図である。
【図４】本発明の実施例３であるイージーピール包装袋を示した斜視図である。
【図５】従来例を示した斜視図である。
【図６】従来例を示した斜視図である。
【符号の説明】
【００３０】
１    イージーピール包装袋
１ａ  イージーピール包装袋
１ｂ  イージーピール包装袋
２    背貼り部
３    端部ヒートシール部
４    イージーピール部
５    未溶着部
６    開封片部
７    側縁部滑り止め帯
８    フィルム
９    内容物
１０  指掛け穴
１１  凸条嵌合テープ
２０  イージーピール包装袋
２１  背貼り部
２２  イージーピール部
２３  滑り止め部
２４  チャック付き袋
２５  開封部
２６  ラベル
【図１】
2008162643.tif 000003
【図２】
2008162643.tif 000004
【図３】
2008162643.tif 000005
【図４】
2008162643.tif 000006
【図５】
2008162643.tif 000007
【図６】
2008162643.tif 000008